(57)【要約】      （修正有）【課題】アクチュエータの回転軸に対してカムアームのボスが抜けるのを防止するためスプリングピンを使用する従来の抜け止め構造において、スプリングピンの使用に代えて、回転軸からカムアームが抜け落ちるのを確実に防止する構成を提供し、氷への異物混入を確実に防止する。【解決手段】アクチュエータ２０を取り付けた梁部材２１に固定される上方部と下方へ延在している下方部３１ａとからなるガイド部材３１を備え、アクチュエータ２０の回転軸２７に挿入したカムアーム２３におけるボス２３ａの軸方向移動を、ガイド部材３１の下方部３１ａにより規制するよう構成した。【選択図】図３
2018054209.tif 000002
【特許請求の範囲】
【請求項１】
内部に多数の製氷小室(10)を画成した製氷室(12)と、前記製氷室(12)を下方から開閉自在に閉成する水皿(16)と、前記水皿(16)に固定されて前記製氷小室(10)へ供給する製氷水を貯留する製氷水タンク(18)と、前記水皿(16)を前記製氷室(12)に対して開閉させるアクチュエータ(20)と、前記アクチュエータ(20)の回転軸(27)に固定したカムアーム(23)と、前記カムアーム(23)と前記水皿(16)とを弾力的に接続するスプリング(25)とからなる自動製氷機(11)において、
前記アクチュエータ(20)を取り付けた梁部材(21)に固定される上方部(31c)と下方へ延在している下方部(31a)とからなるガイド部材(31)を備え、
前記アクチュエータ(20)の回転軸(27)に挿入した前記カムアーム(23)におけるボス(23a)の軸方向移動を、前記ガイド部材(31)の下方部(31a)により規制するよう構成した
ことを特徴とする自動製氷機。
【請求項２】
前記カムアーム(23)におけるボス(23a)の外周に溝(29)が凹設されると共に、前記ガイド部材(31)の下方部(31a)に半円状湾入部(31b)が形成されており、前記半円状湾入部(31b)を前記ボス(23a)の溝(29)に嵌入させることで、該ボス(23a)の軸方向移動が規制される請求項１記載の自動製氷機。
【請求項３】
前記ボス(23a)に凹設した溝(29)には、該ボス(23a)が回動した際に前記ガイド部材(31)における半円状湾入部(31b)の一端に係合して前記カムアーム(23)の回動範囲を規制するリブ(32)が形成されている請求項２記載の自動製氷機。
【請求項４】
前記ガイド部材(31)の下方部(31a)は、前記回転軸(27)に挿通されている前記カムアーム(23)のボス(23a)の開放端(38)に当接して、該ボス(23a)の軸方向移動を規制している請求項１記載の自動製氷機。
【請求項５】
前記ガイド部材(31)の下方部(31a)は、前記カムアーム(23)のボス(23a)に向けて折り曲げた折曲端部(36)を有し、該ボス(23a)の開放端(38)に円形に凹設した陥凹溝(40)に前記折曲端部(36)が嵌入することで、該ボス(23a)の軸方向移動を規制している請求項１記載の自動製氷機。
【発明の詳細な説明】
【技術分野】
【０００１】
この発明は、クローズドセル式自動製氷機に関し、更に詳しくは、該自動製氷機におけるアクチュエータの回転軸からカムアームが抜け落ちるのを防止する抜け止め構造に関するものである。
【背景技術】
【０００２】
喫茶店やレストラン等の厨房では、多数の氷塊を製造する自動製氷機が広く使用されている。この自動製氷機には、製造される氷の形態に応じて各種の製氷機構が存在する。本発明は、水皿が製氷室を下から開閉する所謂クローズドセル式自動製氷機に使用される構造に関するものであるので、先ず自動製氷機の基本構造を図９〜図１３を参照して説明する。
【０００３】
図９に示す自動製氷機１１は、所謂クローズドセル式のものであって、内部に上方に位置する製氷部１３と、下方に位置する貯氷部１５とを備えている。前記製氷部１３には、図１０に示すように、冷凍系に接続する蒸発管１４が上部に配置されると共に、内部に多数の製氷小室１０が区画された製氷室１２と、前記製氷室１２の下に支持軸１７で傾動自在に枢支され、該製氷室１２を下方から閉成する水皿１６とが配置されている。前記水皿１６の下部に製氷水タンク１８が固定され、該製氷水タンク１８に貯留した製氷水は、製氷運転中に循環ポンプ１９により圧送され、前記製氷小室１０の各々へ水皿１６に設けた噴射孔(図示せず)を介して供給される。前記製氷小室１０は、前記蒸発管１４により冷却されているので、各製氷小室１０に供給された製氷水は内壁に次第に凍結し氷塊として成長する。
【０００４】
図９および図１０に示すように、前記製氷部１３の上方に水平に配置した梁部材２１には、電動モータと減速機との組合せからなるアクチュエータ２０が取り付けられ、該アクチュエータ２０における減速機の回転軸(減速軸)２７はカムアーム２３の基部をなすボス２３ａに固定され、該カムアーム２３の端部はスプリング２５を介して前記製氷水タンク１８の先端側に接続している。そして、製氷運転に入ると、図１０に示すように前記アクチュエータ２０は前記カムアーム２３を時計方向へ回転させ、前記スプリング２５を介して前記水皿１６(および製氷水タンク１８)を斜め上方へ引き上げて水平位置へ到来させ、前記製氷室１２を下方から完全に閉成する。また除氷運転に入ると、図１１に示すように、前記アクチュエータ２０は前記カムアーム２３を反時計方向へ回転させ、前記水皿１６を斜め下方へ強制的に下降させて該製氷室１２を全面的に開放する。なお、図９〜図１１に符号３５で示す部材は、滴下する製氷水を受けるドレンパンである。
【０００５】
本発明は、前述したクローズドセル式自動製氷機１１における前記アクチュエータ２０の回転軸(減速軸)２７に挿入される前記カムアーム２３の抜け止め構造に関するものであるので、従来の回転軸２７に対するカムアーム２３の抜け止め対策を図１２および図１３を参照して説明する。図１２に示すアクチュエータ２０の回転軸２７は、前記カムアーム２３におけるボス２３ａの中心に開設した軸孔２２に挿入されている。このとき前記回転軸２７とカムアーム２３とには、スプリングピン２４が共通的に挿通されて該カムアーム２３の抜け止めがなされている。すなわち、図１３に示すように、前記回転軸２７には通孔２７ａが開設されると共に、前記ボス２３ａにも前記軸孔２２を直交して貫通する通孔２３ｂが開設されている。これら２つの通孔２７ａ，２３ｂは同じ内径を有すると共に、前記回転軸２７をカムアーム２３のボス２３ａに完全に挿入した段階で、両通孔２７ａ，２３ｂはその軸線が整列するようになっている。そして、回転軸２７をカムアーム２３の軸孔２２に挿入した状態で、図１３に示す如く、スプリングピン２４をカムアーム２３におけるボス２３ａの通孔２３ｂおよび回転軸２７の通孔２７ａに挿入することで、回転軸２７からのカムアーム２３の抜け止めが達成される。ここでスプリングピン２４は、ステンレス板を円筒状に丸めたもので、周方向への復帰弾力により抜け止め効果が高い。なお、前記回転軸２７の断面は小判形に形成してあり、また前記カムアーム２３の軸孔２２における内部形状も、該回転軸２７の外形に倣った小判形に形成してある。従って、回転軸２７をカムアーム２３の軸孔２２へ挿入するだけで、回転軸２７およびカムアーム２３の回り止めがなされる。
【先行技術文献】
【特許文献】
【０００６】
【特許文献１】特開２０１４−１１５０４４号公報
【発明の概要】
【発明が解決しようとする課題】
【０００７】
このように、アクチュエータ２０の回転軸２７に挿通されるカムアーム２３は、前記スプリングピン２４により抜け止めされているが、例えば図１１に示すように、製氷運転が完了して前記水皿１６を製氷部１３から開放する際に、該スプリングピン２４に過大な負荷が毎回加わる。すなわち、除氷運転が終了した時点では、前記製氷室１２に氷結した氷により前記水皿１６は該製氷室１２に強力に張り付いている。しかるに製氷運転に移行して、前記アクチュエータ２０が図１１に示すように反時計方向へ回転して、相互に氷結している水皿１６を製氷室１２から強制的に剥離しようとすると、前記カムアーム２３と回転軸２７との間に挿通されているスプリングピン２４に極めて大きな回転応力が加わることになる。これを図１４を参照して説明すると、例えば回転軸２７が反時計方向に回動すると、カムアーム２３のボス２３ａも同じ方向に回動する。しかし、カムアーム２３は前記製氷室１２に氷で張り付いている水皿１６を強制的に押し下げるカム作用を果たしているため、図１４に破線矢印で示す如く、該カムアーム２３のボス２３ａには時計方向の応力が加わることになる。このため、前記スプリングピン２４の中央部と両端とには逆方向の応力が加わり、経時的に該スプリングピン２４は外径が縮む様に変形してしまうことがある。
【０００８】
また、アクチュエータ２０やカムアーム２３が配設されている領域は結露し易く、また製氷水で濡れ易い環境である。しかも除氷のために供給される水道水には塩素が含まれているから、微量ではあるが塩素からのガスに接触し易い環境にある。前記スプリングピン２４は円筒状で内部が空洞になっているから、結露水や塩素ガスに触れて経時的に錆を生じたり、弾力性が低下したりすることがある。このような弾力性の低下や反復される前記逆応力によるピン外径の縮み等が相俟って、前記スプリングピン２４がカムアーム２３のボス２３ａから抜け落ちたり、該スプリングピン２４が折損したりすることがある。アクチュエータ２０の下方には、図９に示すように貯氷部１５があるため、抜けたり折れたりしたスプリングピン２４は該貯氷部１５中の氷塊中に落ちて異物混入の問題を生ずる。
【課題を解決するための手段】
【０００９】
前記課題を解決し、所期の目的を達成するため請求項１に記載の発明は、
内部に多数の製氷小室を画成した製氷室と、前記製氷室を下方から開閉自在に閉成する水皿と、前記水皿に固定されて前記製氷小室へ供給する製氷水を貯留する製氷水タンクと、前記水皿を前記製氷室に対して開閉させるアクチュエータと、前記アクチュエータの回転軸に固定したカムアームと、前記カムアームと前記水皿とを弾力的に接続するスプリングとからなる自動製氷機において、
前記アクチュエータを取り付けた梁部材に固定される上方部と下方へ延在している下方部とからなるガイド部材を備え、
前記アクチュエータの回転軸に挿入した前記カムアームにおけるボスの軸方向移動を、前記ガイド部材の下方部により規制するよう構成したことを要旨とする。
請求項１に係る発明によれば、アクチュエータの回転軸からカムアームが抜け出る事態をスプリングピンを使用することなく防止でき、従って貯氷部の氷塊中にスプリングピンが脱落して混入することがない。
【００１０】
請求項２に記載の発明では、前記カムアームにおけるボスの外周に溝が凹設されると共に、前記ガイド部材の下方部に半円状湾入部が形成されており、前記半円状湾入部を前記ボスの溝に嵌入させることで、該ボスの軸方向移動が規制されることを要旨とする。
請求項２に係る発明によれば、アクチュエータの回転軸からカムアームが抜け出る事態をスプリングピンを使用することなく防止でき、従って貯氷部の氷塊中にスプリングピンが脱落して混入することがない。
【００１１】
請求項３に記載の発明では、前記ボスに凹設した溝には、該ボスが回動した際に前記ガイド部材における半円状湾入部の一端に係合して前記カムアームの回動範囲を規制するリブが形成されていることを要旨とする。
請求項３に係る発明によれば、アクチュエータがオーバーランするのを監視するセンサが作動しない不測の事態が生じても、カムアームの左右の回動限界をリブにより確実に規制することができる。
【００１２】
請求項４に記載の発明では、前記ガイド部材の下方部は、前記回転軸に挿通されている前記カムアームのボスの開放端に当接して、該ボスの軸方向移動を規制していることを要旨とする。
請求項４に係る発明によれば、極めて簡単な構成でありながら、同じくスプリングピンを使用することなく、カムアームのボスが回転軸から軸方向へ抜け出るのを規制することができる。
【００１３】
請求項５に記載の発明では、前記ガイド部材の下方部は、前記カムアームのボスに向けて折り曲げた折曲端部を有し、該ボスの開放端に円形に凹設した陥凹溝に前記折曲端部が嵌入することで、該ボスの軸方向移動を規制していることを要旨とする。
請求項５に係る発明によれば、ガイド部材の下方における折曲端部がボスの開放端に形成した陥凹溝に嵌入しているので、同じくスプリングピンを使用することなく、一層確実にカムアームのボスが回転軸から抜け出るのを防止し得る。
【発明の効果】
【００１４】
アクチュエータの回転軸に対してカムアームのボスが抜けるのを防止するためスプリングピンを使用する従来の抜け止め構造では、前述したように逆方向の応力が加わることに起因して該スプリングピンの径減縮や、錆その他塩素ガスによる腐食による脱落等で氷に異物混入する危険がある。しかし本発明によれば、スプリングピンの使用に代えて、回転軸からカムアームが抜け落ちるのを確実に防止する構成が提供され、これにより氷への異物混入が確実に防止できる。
【図面の簡単な説明】
【００１５】
【図１】本発明の実施例１に係るカムアームを示すもので、(ａ)はカムアームの斜視図、(ｂ)はカムアームをボスの部分で切断した縦断面図、(ｃ)は(ｂ)のＡ−Ａ線断面図である。
【図２】本発明の実施例１において、図１に示したカムアームのボスに組み合わされるガイド部材の説明図であって、(ａ)はガイド部材の斜視図であり、(ｂ)〜(ｄ)はガイド部材の三面図である。
【図３】水皿が閉成した状態において、図１および図２に示すボスとガイド部材との組み付け状態を示すもので、(ａ)はボスの拡大正面図であり、(ｂ)はボスを縦断した状態で示す拡大正面図である。
【図４】水皿が開放した状態において、図１および図２に示すボスとガイド部材との組み付け状態を示すもので、(ａ)はボスの拡大正面図であり、(ｂ)はボスを縦断した状態で示す拡大正面図である。
【図５】(ａ)は水皿を閉成した状態を裏側から観察した斜視図であって、(ｂ)は(ａ)におけるボスとガイド部材との組み付け状態を示す拡大図である。
【図６】(ａ)は水皿を開放した状態を裏側から観察した斜視図であって、(ｂ)は(ａ)におけるボスとガイド部材との組み付け状態を示す拡大図である。
【図７】本発明の実施例２に係るガイド部材とカムアームのボスとの位置関係を示す概略断面図である。
【図８】本発明の実施例３に係るガイド部材とカムアームのボスとの位置関係を示す概略断面図である。
【図９】クローズドセル式自動製氷機の全体を一部開放状態で示す斜視図である。
【図１０】水皿が製氷室を閉成した状態を示す説明図である。
【図１１】水皿が製氷室を開放した状態を示す説明図である
【図１２】従来技術におけるアクチュエータの回転軸からカムアームのボスが抜け出るのを防止するためにスプリングピンを使用している状態を隠れ線で示す斜視図である。
【図１３】回転軸とボスとの分解斜視図であって、スプリングピンが回転軸およびボスに挿通される直前の状態を示している。
【図１４】回転軸とボスとに共通して挿通されたスプリングピンの縦断面図であって、該スプリングピンには中央部分と両端とに反対方向の回転応力が加わっていることを示している。
【発明を実施するための形態】
【実施例１】
【００１６】
次に、本発明の好適な実施例１につき、添付図面を参照して説明する。この実施例１の要旨は、図１に示すカムアーム２３のボス２３ａに施したリング状の溝２９と、図２に示すガイド部材３１の半円状湾入部３１ｂとを組み合わせた構造にあるので、先ず前者のリング状溝２９について説明する。図１(ａ)に示すカムアーム２３の基部は前述したボス２３ａになっていて、その中央に前記軸孔２２が軸線方向に開設されている。前記ボス２３ａには、図１(ｂ)に示す如く、前記カムアーム２３を縦に切断すると、該ボス２３ａの周方向に溝２９が前記軸孔２２と直交して凹設されている。この溝２９は、ボス２３ａの全周に亘りリング状に形成してもよいが、図１の実施例では、回動規制リブ３２を残して凹設することによりＣ字状の溝２９になっている。すなわち、図１(ｃ)は、図１(ｂ)に示すカムアーム２３のＡ−Ａ線断面図であって、前記リング状溝２９はボス２３ａの周りに前記回動規制リブ３２を残して凹設されることで、所謂Ｃ字状に形成されている。なお、前記回動規制リブ３２が残存する部位は、図３(ｂ)および図４(ｂ)に示す位置になっている。
【００１７】
次に、前記ガイド部材３１は、図２に示す形状をしており、該ガイド部材３１の下方部３１ａには、前記回動規制リブ３２と遊びをもって嵌合し得る半円状の湾入部３１ｂが形成されている。すなわち、ガイド部材３１は、図２(ｂ)に示すように１枚の矩形状金属板を逆Ｌ形に折り曲げられ、図２(ｃ)に示す前板となる下方部３１ａの下端に半円状湾入部３１ｂが形成されている。この半円状湾入部３１ｂの湾入した円弧形状は、図１(ｂ)および(ｃ)に示すリング状溝２９における内周の円形表面と合致する寸法に設定されている。また、前記下方部３１ａの上部は直角に折り曲げられて天板となる上方部３１ｃとなり、その中央に雌ネジ孔３３が螺切されている。
【００１８】
そして前記ガイド部材３１の上方部３１ｃは、図５(ｂ)および図６(ｂ)に示すように、前記製氷部１３を支持している前記梁部材２１の裏側に固定されて、前記下方部３１ａを垂下させている。前記ガイド部材３１の下方には、アクチュエータ２０の回転軸２７を挿入したボス２３ａ(カムアーム２３)が位置しており、該ボス２３ａに凹設した前記リング状溝２９に前記下方部３１ａに凹設した半円状湾入部３１ｂが嵌入されている。なお、前記ガイド部材３１の上方部３１ｃは梁部材２１に開設した通孔(図示せず)に挿入した雄ネジ３４を前記雌ネジ孔３３へ螺挿することで、該ガイド部材３１は梁部材２１の裏側に固定されている。
【００１９】
前記ガイド部材３１に形成した半円状湾入部３１ｂと前記カムアーム２３のボス２３ａに凹設したリング状溝２９との嵌入関係を、図３および図４を参照して更に説明する。すなわち、図３(ａ)および(ｂ)に示すように、カムアーム２３のボス２３ａの外周には前記リング状溝２９(ここではＣ字状になっているが、リング状でもよいことは前述した通りである)が凹設してある。従って、前記リング状溝２９に該ガイド部材３１の下方部３１ａに凹設した半円状湾入部３１ｂを臨ませれば、図５(ｂ)および図６(ｂ)に示すように、前記カムアーム２３のボス２３ａは前記ガイド部材３１によって軸方向の移動が規制されることになる。但し、ガイド部材３１の半円状湾入部３１ｂと、ボス２３ａのリング状溝２９との間には若干の半弧状隙間が確保されるようになっているので、前記カムアーム２３はガイド部材３１に阻止されることなく自由に回動可能である。すなわち、本発明の実施例によれば、図１２および図１３で説明したスプリングピン２４の使用を廃止しながらも、カムアーム２３の抜け止めを有効に達成でき、該スプリングピン２４が脱落して貯氷部１５の氷塊群に混入することがなく、更に該カムアーム２３が脱落するという事故も防ぐことができる。
【００２０】
次に、ボス２３ａの外周に凹設した溝２９を、全周に亘るリングでなく、前記回動規制リブ３２を残してＣ字状に凹設した場合の作用効果について説明する。図１(ｃ)，図Ｃ(ｂ)および図４(ｂ)に示すように、ボス２３ａの外周に凹設されたリング状溝２９は、前記回動規制リブ３２を残したＣ字状になっている。この場合、ボス２３ａに周設した回動規制リブ３２は、図３(ｂ)においてガイド部材３１における下方部３１ａの右下端に当接する位置と、図４(ｂ)における下方部３１ａの左下端に当接する位置との間で該ボス２３ａの回動を規制するものであり、その回動角度は図示例では１５５°である。
【００２１】
例えば、前記水皿１６を閉成した場合、図３に示すように前記カムアーム２３は垂直になった位置で停止する。このとき、図３(ｂ)に示す如く、カムアーム２３のボス２３ａにおける回動規制リブ３２は、ガイド部材３１における前記下方部３１ａの右下端に当接し、ここで該カムアーム２３の回転は規制される。すなわち、回動規制リブ３２はストッパとしての機能を果たす。また、前記水皿１６を開放すると前記カムアーム２３は、図４に示すように、１５５°だけ回動した位置でボス２３ａの回動規制リブ３２がガイド部材３１における下方部３１ａの左下端に当接するので、該カムアーム２３の回転が規制される。
【００２２】
勿論、前記カムアーム２３が水皿１６の閉成位置に到来した場合および該カムアーム２３が水皿１６の開放位置に到来した場合、前記アクチュエータ２０の回転軸２７の回転角度を検知して停止指令を出す位置検出センサーが設けられている。しかし、前記位置検出センサーが誤作動して検知しない場合には、アクチュエータ２０に停止指令が出ないため、回転を継続してオーバーランしてしまう。この場合、アクチュエータ２０の回転が、例えば５０秒続くと、異常を判断して該アクチュエータ２０の回転を停止させるようになっているが、回転停止に到るまでは前記カムアーム２３がオーバーランし、前記スプリング２５が伸び切って変形したり破損してしまう。更には、水皿１６や製氷部１３にも過大な負荷を加え続けることになり、機構保護の上で極めて好ましくない。しかし、先に述べたように、前記溝２９はボス２３ａに回動規制リブ３２を残してＣ字状に凹設してあるので、アクチュエータ２０の回転軸２７は１５５°の回転範囲内で確実に回転規制され、諸部材に過負荷が加わることはない。なお、アクチュエータ２０は通電状態で回転を強制的に阻止されるロック状態になるが、このときは該アクチュエータ２０に過電流が流れるので、サーマルプロテクタが前記過電流を検出して該アクチュエータ２０への通電を早期に遮断するので問題にはならない。
【実施例２】
【００２３】
先に説明した実施例１は、カムアーム２３のボス２３ａの外周に凹設した溝２９へガイド部材３１の半円状湾入部３１ｂを嵌入させることで、該カムアーム２３がアクチュエータ２０の回転軸２７から抜け出るのを防止する構造に関するものであった。しかし本発明は、このような構成に限られるものでなく、梁部材２１に固定した前記ガイド部材３１の垂下する下方部３１ａを、前記回転軸２７に挿入されたカムアーム２３のボス２３ａに近接して位置させることで、該ボス２３ａが回転軸２７から軸方向へ移動するのを有効に規制することができる。例えば、図７に示すように、梁部材２１に上方を固定したガイド部材３１において、該ガイド部材３１の他方を垂下させた下方部３１ａを、前記アクチュエータ２０の回転軸２７を挿通したボス２３ａ(カムアーム２３の)の開放端３８に当接するよう位置させることで、該ボス２３ａは回転軸２７に対する軸方向の移動が規制される。なお、ガイド部材３１の下方部３１ａはボス２３ａの開放端３８に当接しているだけなので、カムアーム２３は自由に回転可能である。
【実施例３】
【００２４】
図７に示す実施例２の構造を更に改良した実施例３を、図８に示す。この実施例３の構成は、実施例２の構成と基本的に共通しているが、前記ガイド部材３１の下方部３１ａはカムアーム２３のボス２３ａに向け折り曲げた折曲端部３６になっている。また、前記ボス２３ａの開放端３８には円形の陥凹溝４０が凹設されている。そして、ガイド部材３１の前記折曲端部３６をボス２３ａの開放端３８に凹設した前記陥凹溝４０に嵌入することで、前記カムアーム２３のボス２３ａが軸方向へ移動するのを有効に規制することができる。なお、ボス２３ａの開放端３８に凹設した陥凹溝４０は無端の円形になっているから、該陥凹溝４０にガイド部材３１の折曲端部３６を嵌入しても、該ボス２３ａにおけるカムアーム２３は自由に回転することができる。
【００２５】
以上に本発明に係る好適な実施例を説明したが、本発明の内容はこれら実施例に限定されるものでなく、固定位置に取り付けたガイド部材の下方部によって、カムアームのボスがアクチュエータの回転軸から軸方向へ移動するのを規制し得る構造であれば、何れも請求項１に係る本発明によりカバーされる。例えば、図３(ｂ)に示す実施例１では、ボスの外周に凹設した溝にガイド部材の半円状湾入部を差し込むものであったが、前記半円状湾入部は要件でなく、前記ガイド部材における下方部の下端縁が真直であってもよい。また、図７に示す実施例２では、ガイド部材の下方部はストレートな板体であって、この部分をボスの開放端に当接させるようにしていたが、前記ガイド部材の下方部に円形の窪みを凹設し、この円形窪みにより前記ボスの開放端をカバーすることで軸方向移動を規制するようにしてもよい。
【符号の説明】
【００２６】
１０  製氷小室，１１  自動製氷機，１２  製氷室，１６  水皿，
１８  製氷水タンク，２０  アクチュエータ，２１  梁部材，２３  カムアーム，
２３ａ  ボス，２５  スプリング，２７  回転軸(減速軸)，２９  溝，
３１  ガイド部材，３１ａ  (ガイド部材の)下方部，３１ｂ  半円状湾入部，
３１ｃ  (ガイド部材の)上方部，３２  回動規制リブ，
３６  (ガイド部材の)折曲端部，３８  (ボスの)開放端，４０  (ボスの)陥凹溝
【図１】
2018054209.tif 000003
【図２】
2018054209.tif 000004
【図３】
2018054209.tif 000005
【図４】
2018054209.tif 000006
【図５】
2018054209.tif 000007
【図６】
2018054209.tif 000008
【図７】
2018054209.tif 000009
【図８】
2018054209.tif 000010
【図９】
2018054209.tif 000011
【図１０】
2018054209.tif 000012
【図１１】
2018054209.tif 000013
【図１２】
2018054209.tif 000014
【図１３】
2018054209.tif 000015
【図１４】
2018054209.tif 000016